(57)【要約】【課題】携帯機器や自動車等の入力操作用に用いられるスイッチに関し、ネジの保持が確実で、使用部品数が少なく安価なものを提供することを目的とする。【解決手段】ケース１１と基板６内に収納された可撓性を有する下シート１４に、ネジ７方向へ突出し、ネジ７が挿通する挿通孔２０Ａが形成された緩衝部２０を設けることによって、この緩衝部２０により衝撃や振動によるネジ７の緩みを防止できるため、ケース１１や基板６の保持が確実に行なえると共に、スプリングワッシャ等が不要となり、使用部品数が少なく安価なスイッチを得ることができる。【選択図】図１
2005129336.tif 000002
【特許請求の範囲】
【請求項１】
ケースと、このケース下方に配置された基板と、上記ケースと基板を締付け固定するネジと、上記ケースと基板内に収納された可撓性を有するシートと、このシートまたはシートと上記基板の間に形成されたスイッチ接点からなり、上記ネジ方向へ突出しネジが挿通する挿通孔が形成された緩衝部を、上記シートに設けたスイッチ。
【請求項２】
シートと緩衝部を細帯状の桟部で連結した請求項１記載のスイッチ。
【請求項３】
シートを折曲して緩衝部を形成した請求項１記載のスイッチ。
【請求項４】
緩衝部のシート上面または下面に樹脂層を形成した請求項１記載のスイッチ。
【発明の詳細な説明】
【技術分野】
【０００１】
本発明は、主に携帯機器や自動車等の入力操作用に用いられるスイッチに関するものである。
【背景技術】
【０００２】
近年、携帯電話やリモコン送信機、自動車等の入力装置の小型化や薄型化が進むなか、これらに使用されるスイッチにおいても小型・薄型で、かつ衝撃や振動が加わった場合でも保持の確実なものが求められている。
【０００３】
このような従来のスイッチについて、図５を用いて説明する。
【０００４】
図５は従来のスイッチの断面図であり、同図において、１は絶縁樹脂製のケース、２は同じく複数の絶縁樹脂製のボタンで、このボタン２下面には押圧部２Ａが形成されると共に、ボタン２上面の操作部２Ｂがケース１上面の複数の開口孔１Ａから上方へ突出している。
【０００５】
そして、３は可撓性を有するフィルム状の上シート、４は同じく下シートで、上シート３下面には可動接点３Ａ、下シート４上面にはこの可動接点３Ａと所定の間隔を空けて対向する固定接点４Ａが形成されると共に、上下面に接着剤を塗布したスペーサ５によって上シート３と下シート４が貼り合わされ、所謂メンブレンスイッチがスイッチ接点として形成されている。
【０００６】
また、６は鋼板や絶縁樹脂製の基板で、複数の貫通孔６Ａが設けられると共に、この基板６上面には両面テープ（図示せず）等により下シート４下面が貼付けられて、スイッチ接点が載置されている。
【０００７】
さらに、７は鋼製のネジで、このネジ７が基板６の貫通孔６Ａを挿通し、ケース１下面の突出した締付部１Ｂへ締付けられて、スイッチ接点やボタン２を収納したケース１と基板６が固定されている。
【０００８】
そして、８は略リング状のスプリングワッシャで、このスプリングワッシャ８がやや撓んだ状態でネジ７頭部と基板６下面の間に装着され、衝撃や振動が加わった場合でも、ネジ７が緩んでケース１と基板６やスイッチ接点にガタツキが生じ、スイッチの電気的接離が不安定にならないようにして、スイッチが構成されている。
【０００９】
以上の構成において、ボタン２の操作部２Ｂを下方へ押圧操作すると、この下面の押圧部２Ａが上シート３上面を押圧し、上シート３が撓んで、下面の可動接点３Ａが下シート４上面の固定接点４Ａに接触する。
【００１０】
また、ボタン２への押圧力を解除すると、上シート３の弾性復帰力によって可動接点３Ａが固定接点４Ａから離れ、図５の状態に復帰するようにして、スイッチとしての電気的接離が行なわれるように構成されているものであった。
【００１１】
なお、この出願の発明に関連する先行技術文献情報としては、例えば、特許文献１が知られている。
【特許文献１】特開平１０−８３７３３号公報
【発明の開示】
【発明が解決しようとする課題】
【００１２】
しかしながら、上記従来のスイッチにおいては、衝撃や振動によるネジ７の緩み防止用に、スプリングワッシャ８をネジ７頭部と基板６下面の間に装着しているため、ネジ締めの個所が増えるほど使用部品数が多くなり、スイッチが高価なものになるという課題があった。
【００１３】
本発明は、このような従来の課題を解決するものであり、ネジの保持が確実で、使用部品数が少なく安価なスイッチを提供することを目的とする。
【課題を解決するための手段】
【００１４】
上記目的を達成するために本発明は、以下の構成を有するものである。
【００１５】
本発明の請求項１に記載の発明は、ケースと基板内に収納された可撓性を有するシートに、ネジ方向へ突出し、ネジが挿通する挿通孔が形成された緩衝部を設けてスイッチを構成したものであり、シートの緩衝部によって、衝撃や振動によるネジの緩みを防止できるため、ケースや基板の保持が確実に行なえると共に、スプリングワッシャ等が不要となり、使用部品数が少なく安価なスイッチを得ることができるという作用を有する。
【００１６】
請求項２に記載の発明は、請求項１記載の発明において、シートと緩衝部を細帯状の桟部で連結したものであり、ネジ締めによる捩り力が緩衝部へ加わった場合にも、細帯状の桟部が捩れることによって、この捩れがスイッチ接点が形成されたシート本体に加わることを防ぐことができるため、スイッチ接点の電気的接離を安定したものとすることができるという作用を有する。
【００１７】
請求項３に記載の発明は、請求項１記載の発明において、シートを折曲して緩衝部を形成したものであり、緩衝部の弾性力を高め、ネジの保持をより確実に行なうことができるという作用を有する。
【００１８】
請求項４に記載の発明は、請求項１記載の発明において、緩衝部のシート上面または下面に樹脂層を形成したものであり、樹脂層の弾性力によってネジの保持がより確実に行なえると共に、スイッチの組立も容易に行なうことができるという作用を有する。
【発明の効果】
【００１９】
以上のように本発明によれば、ネジの保持が確実で、使用部品数が少なく安価なスイッチを実現することができるという有利な効果が得られる。
【発明を実施するための最良の形態】
【００２０】
以下、本発明の実施の形態について、図１〜図４を用いて説明する。
【００２１】
なお、従来の技術の項で説明した構成と同一構成の部分には同一符号を付して、詳細な説明を簡略化する。
【００２２】
（実施の形態）
図１は本発明の一実施の形態によるスイッチの断面図、図２は同要部斜視図であり、同図において、１１は略箱状でポリスチレンやＡＢＳ等の絶縁樹脂製のケース、２は同じく複数の絶縁樹脂製のボタンで、このボタン２下面には押圧部２Ａが形成されると共に、ボタン２上面の操作部２Ｂがケース１１上面の複数の開口孔１１Ａから上方へ突出している。
【００２３】
そして、３はポリエチレンテレフタレート等の可撓性を有するフィルム状の上シート、１４は同じく下シートで、上シート３下面には銀やカーボン等の可動接点３Ａ、下シート１４上面にはこの可動接点３Ａと所定の間隔を空けて対向する固定接点１４Ａが各々形成されると共に、上下面に接着剤を塗布したスペーサ５によって上シート３と下シート１４が貼り合わされ、所謂メンブレンスイッチがスイッチ接点として形成されている。
【００２４】
また、６は亜鉛メッキ鋼板やアルミ板、或いは紙フェノールやガラス入りエポキシ樹脂等の基板、７は鋼製のネジで、基板６には複数の貫通孔６Ａが設けられると共に、この基板６上面には両面テープ（図示せず）等により下シート１４下面が貼付けられて、スイッチ接点が載置されている。
【００２５】
さらに、２０は下シート１４からネジ７の方向へ突出し、ネジ７が挿通する挿通孔２０Ａが形成された緩衝部で、この緩衝部２０が細帯状の桟部２０Ｂによって、スイッチ接点が形成された下シート１４の本体部に連結され一体に形成されている。
【００２６】
この緩衝部２０はシートを折曲して二枚重ねとした状態で形成されている。
【００２７】
そして、ネジ７が基板６の貫通孔６Ａと緩衝部２０の挿通孔２０Ａを挿通し、ケース１１下面に突出した締付部１１Ｂへ締付けられて、スイッチ接点やボタン２を収納したケース１１と基板６が固定されているが、この時、緩衝部２０はネジ７の締付けによって上下方向へ圧縮され、厚さ方向に撓んだ状態で締付部１１Ｂ下面と基板６上面の間に装着されている。
【００２８】
つまり、撓んだ状態の緩衝部２０の弾性力によって、締付部１１Ｂに締付けられたネジ７のネジ山には上下方向に付勢される、スプリングワッシャ等と同様の力が働き、スイッチに衝撃や振動が加わった場合でも、ネジ７の緩みを防ぎ、ケース１１や基板６の保持が確実に行なえるようにしてスイッチが構成されている。
【００２９】
以上の構成において、ボタン２の操作部２Ｂを下方へ押圧操作すると、この下面の押圧部２Ａが上シート３上面を押圧し、上シート３が撓んで、下面の可動接点３Ａが下シート１４上面の固定接点１４Ａに接触する。
【００３０】
また、ボタン２への押圧力を解除すると、上シート３の弾性復帰力によって可動接点３Ａが固定接点１４Ａから離れ、図１の状態に復帰するようにして、スイッチとしての電気的接離が行なわれるように構成されている。
【００３１】
このように本実施の形態によれば、ケース１１と基板６内に収納された可撓性を有する下シート１４に、ネジ７方向へ突出し、ネジ７が挿通する挿通孔２０Ａが形成された緩衝部２０を設けることによって、この緩衝部２０により衝撃や振動によるネジ７の緩みを防止できるため、ケース１１や基板６の保持が確実に行なえると共に、スプリングワッシャ等が不要となり、使用部品数が少なく安価なスイッチを得ることができるものである。
【００３２】
そして、下シート１４と緩衝部２０を細帯状の桟部２０Ｂで連結することによって、ネジ７が強く締付けられ、ネジ締めによる捩り力が緩衝部２０へ加わった場合にも、スペーサ５によって上シート３と貼り合わされスイッチ接点が形成された下シート１４本体に比べ、厚さが薄く幅も狭い細帯状の桟部２０Ｂが捩れ、緩衝部２０への捩れは下シート１４本体に加わらないため、スイッチ接点の電気的接離を安定したものとすることができる。
【００３３】
なお、桟部２０Ｂの幅を極細にしたり、桟部２０Ｂに切込みやミシン目等を形成して、ネジ締め時に極端に大きな力が加わった場合には、桟部２０Ｂが破断するようにすれば、下シート１４本体への捩れをより確実に防ぐことができる。
【００３４】
また、シートを折曲し、二枚重ねにした状態で緩衝部２０を形成することによって、一枚で形成した場合に比べ、緩衝部２０の弾性力を高め、ネジ７の保持をより確実に行なうことができる。
【００３５】
さらに、緩衝部２０のシート上面または下面に、ポリエステルやエポキシ樹脂等によって樹脂層を形成することによって、樹脂層の弾性力によってネジ７の保持がより確実に行なえると共に、スイッチの組立も容易に行なうことができる。
【００３６】
なお、以上の説明では、スイッチ接点を上ケース３と下ケース１４をスペーサ５によって貼り合わせ、可動接点３Ａと固定接点１４Ａを所定の間隔を空けて対向させる、所謂メンブレンスイッチとして説明したが、図３の断面図に示すように、シート１３を押圧操作時に節度感触が得られるように略ドーム状に形成すると共に、この下面に可動接点１３Ａを設け、この可動接点１３Ａと基板６上面に形成した固定接点６Ｂを対向させたものとしても、本発明の実施は可能である。
【００３７】
また、図４の断面図に示すように、ゴムやエラストマー等によってボタンと一体になったシート１５を形成し、この下面の可動接点１５Ａを基板６上面の固定接点６Ｂと対向させて、スイッチ接点を構成してもよい。
【産業上の利用可能性】
【００３８】
本発明によるスイッチは、ネジの保持が確実で、使用部品数が少なく安価なスイッチを実現できるため、主に携帯機器や自動車等の入力操作用スイッチ等に有用である。
【図面の簡単な説明】
【００３９】
【図１】本発明の一実施の形態によるスイッチの断面図
【図２】同要部斜視図
【図３】同他の形態によるスイッチの断面図
【図４】同他の形態によるスイッチの断面図
【図５】従来のスイッチの断面図
【符号の説明】
【００４０】
２  ボタン
２Ａ  押圧部
２Ｂ  操作部
３  上シート
３Ａ，１３Ａ，１５Ａ  可動接点
５  スペーサ
６  基板
６Ａ  貫通孔
６Ｂ  固定接点
７  ネジ
１１  ケース
１１Ａ  開口孔
１１Ｂ  締付部
１３，１５  シート
１４  下シート
１４Ａ  固定接点
２０  緩衝部
２０Ａ  挿通孔
２０Ｂ  桟部
【図１】
2005129336.tif 000003
【図２】
2005129336.tif 000004
【図３】
2005129336.tif 000005
【図４】
2005129336.tif 000006
【図５】
2005129336.tif 000007